(57)【要約】【課題】信号機が設置された交差点を通行する車両・歩行者，夜間に暗い生活道路などを歩行する歩行者を，プライバシー保護された状態で画像記録することにより，地域社会の安全・安心の向上を実現する防犯カメラシステムを提供する．【解決手段】本発明の防犯カメラにおいて，撮像部２０，１１０で撮影された映像は，映像処理部３０，１２０で暗号化された上で，映像記録部４０，１３０で記録される．暗号化された映像を，外部出力を通して表示する場合は，モザイク処理などのプライバシー保護がなされた状態で，表示される．暗号化の上で保存された画像の暗号処理を解除する場合は，専用ソフトウェアと暗号解除鍵（パスワード）を用いる必要がある． 【選択図】  図１
2011090581.tif 000002
【特許請求の範囲】
【請求項１】
交通信号機や防犯灯などの路上設置機器と一体型であり，かつ，映像に暗号化を行い，特定の暗号鍵を持つもののみが映像を閲覧できるようなプライバシー保護機能をもつ，防犯カメラシステム．
【請求項２】
映像を撮影するためのカメラ（撮像部），映像を暗号化して記録するための映像記録部，映像データの画像処理を行うための映像処理部，映像データを外部に出力するための通信部を備えていることを特徴とする請求項１の防犯カメラシステム．
【請求項３】
防犯カメラの所有者や管理者や画像閲覧可能者や設置場所などの防犯カメラに関する情報を，PCまたは携帯電話またはその他の電子機器へ知らしめる情報開示手段を有することを特徴とする請求項１または２の防犯カメラシステム．
【請求項４】
光源（LED防犯灯，LED信号機，など）の射出する光の波長帯を通すバンドパスフィルタをカメラ・レンズ部に装着することすることを特長とする，請求項１または２または３の防犯カメラシステム．
【発明の詳細な説明】
【技術分野】
【０００１】
本発明は，交通信号機や防犯灯などの路上設置機器と一体型である，防犯及び，交通安全管理用のプライバシー保護機能付き防犯カメラシステムに関する．
【背景技術】
【０００２】
近年，窃盗，強盗などの凶悪犯罪が，一般道路や街路などで，頻繁に発生するようになってきており，その度に，目撃情報の少なさが問題になっている．
【０００３】
これに対応するように，商店街などには，街頭に，歩行者を監視する防犯カメラが設置され始めている．
【０００４】
しかし，これらのカメラにより，歩行者らが監視されている，極端には犯罪者扱いをされているという不快感を抱く可能性がある．
【０００５】
これに対して，特許公開広報「特開2005-269287」にも記載されているように，歩行者らの不快感に配慮した，撮像部を物品（交通信号機，ディスプレー，街灯，ドア，標識等）に内蔵することで，監視カメラを擬態させる技術も提案されている．
【特許文献１】特開2005-269287号公報
【０００６】
しかし，これは既存の監視カメラシステムを応用したもので，歩行者など個々人のプライバシーに配慮したものではなく，監視されているのではという歩行者らの不快感を完全に払拭することは難しい．
【０００７】
また，既存の監視カメラシステムほとんどは映像の表示装置が設置する必要がある．また，その画像を逐次，検査を行うとともに，流用を防ぐための画像の管理（廃棄を含む）のための人的コストも膨大である．そのため，広範囲にわたって監視し続けるための全体としてのコストは膨大なる．現実的には，現状の防犯カメラシステムを全国のすべての街頭に新たに設置することは難しい．
【０００８】
そのため，歩行者や車両ら，一般市民のプライバシーを保護しつつ，低コストで導入できる一般道路や街路用の防犯カメラシステムの出現が熱望される．
【発明の開示】
【発明が解決しようとする課題】
【０００９】
本発明はかかる従来技術の課題に鑑みなされたものであって，一般道路，街路での犯罪防止のための，プライバシー保護機能がなされた，設置にかかるコストの低い防犯カメラシステムを提供することを目的としている．
【課題を解決するための手段】
【００１０】
本発明の防犯カメラシステムは，防犯カメラを交通用のLED式などの信号機，街灯などに組み込んだものであり，かつ，画像・音声情報の暗号化により一般通行人のプライバシーの保護を可能としたことを特徴とする．
【００１１】
交通信号機や防犯灯などの路上設置機器と一体型であり，かつ，映像に暗号化を行い，特定の暗号鍵を持つもののみが映像を閲覧できるようなプライバシー保護機能をもつ，防犯カメラシステムである．
【００１２】
映像を撮影するためのカメラ（撮像部），映像を暗号化して記録するための映像記録部，映像データの画像処理を行うための映像処理部，映像データを外部に出力するための通信部を備えていることを特徴とする上記の防犯カメラシステムである．
【００１３】
防犯カメラの所有者，管理者，画像閲覧可能者，設置場所などの防犯カメラに関する情報を，PCまたは携帯電話またはその他の電子機器へ知らしめる情報開示手段を有することを特徴とする上記の防犯カメラシステムである．
【００１４】
また，下記のような特長を持たせても良い．
・      
ファイル名に信号動作状態も記録
・      
光源（LED防犯灯，LED信号機）を通すバンドパスフィルタをカメラに装着すると，昼夜における明るさの差を低減することができ好適である．
・      
LED型光源との一体型であると，LED光の持つ直進性に起因する視認性向上のため，防犯カメラの監視映像の品質向上に有効である
・      
カバーガラスに汚れにくいフッ素樹脂加工などのコーティングを施すと，良好な視界が維持でき好適である．また，圧電素子などを用いた小型ワイパの装着も好適である．
・      
動作状態を外から確認できるLEDを配置することは，メンテナンス上，有効である．
・      
無線通信機能．ブルートゥースにより，Identify機能を持たせることは，プライバシー保護の観点から有効である．
・      
複数のカメラを取り付け，視野を広くすることは，有効である．
・      
暗視カメラを併設は，特に，暗い時間帯における監視を徹底する上で，有効である．
・      
動きを検知したときの画像（動画・静止画）だけ，保存することにより，限られたメモリの有効活用ができる．動きの検知は，画像自身のほか，熱感知センサーなど，別途設置したセンサーからの情報を用いてもよい．
・      
録画時に音，光などを出して知らせる機能を用いることも，好適である．
【００１５】
本発明の防犯カメラにおいては，プライバシー保護機能がなされている．
【００１６】
本発明のプライバシー保護機能は，撮影される画像を自動で暗号化し，通常は閲覧できない状態にし，カメラ設置側が暗号画像を閲覧できる防犯システム管理側（例えば，警察など）と協力することで初めて閲覧することができるようにすることで，実現している． 
【００１７】
プライバシー保護，情報セキュリティの観点から，さまざまなレベルで画像を不鮮明化した画像を，レベル別の暗号キーを用いて暗号化した上で保存することも有効である．
【００１８】
不鮮明化のレベルとしては，以下が考えられる．
・  通行人の顔，車のナンバーなどが，判別不可能な程度に，画面全体を不鮮明化する．
・  私有地に相当する部分を不鮮明化する．（画面の一部の不鮮明化）
【００１９】
レベル別の利用形態として，以下が考えられる．
・  不鮮明化を一切，行っていない画像は，重要な犯罪捜査のみに利用されるように 
する．
・  不鮮明化を施された画像は，その程度により，さまざまな目的の利用に供する． 
たとえば，交通量の調査，インターネットでの一般閲覧，など．
【００２０】
不鮮明化の方法としては，モザイクをかけることなどが有効である．
【００２１】
カメラからの映像はモニタに接続することで，リアルタイムでの表示も可能とする
【００２２】
本発明の防犯カメラシステムは，映像を撮影するためのカメラ装置，映像を記録するための映像記録装置，プライバシー保護機能を実現するため暗号化処理装置，映像データ外部に出力するための出力部を備えていることを特徴とする．
【発明の効果】
【００２３】
本発明により，撮影される一般市民のプライバシーを保護しつつ，万が一，犯罪，事故等の事件が起きた場合に，犯人に関する情報や，事故原因に関する情報を得ることができる．
【００２４】
本発明の防犯カメラシステムは，表示装置を省き，カメラ，記録装置，処理装置のみで構成されているため，導入コストが低いという効果がある．
【００２５】
本発明は，近年，環境への配慮のため全国的に急速に白熱電球式からの切り替えが進んでいるLED式交通信号機と一体として設置することが可能であるため，設置コストが低い．また，防犯灯に関しても，同様に蛍光灯式からLED式への切り替えが進むことが予想され，防犯灯との一体型としての製造，設置を行うことで，大幅なコスト減となる．
【００２６】
交通信号機や防犯灯などと一体型であることによる低設置コストから，地方などの配備が容易で，これらの人口希少地域での防犯効果が大きい．また，都市圏など設置密度が高く大量の設置が必要である人口密集地帯でも低コスト化による環境配慮がなされる．
【００２７】
交通信号機や防犯灯などの，元々，固有の電源を必要する路上設置機器と一体型であるので，個別の電源を必要としない．
【発明を実施するための最良の形態】
【００２８】
以下に，添付図面を参照しながら本発明を実施形態にもとづいて説明する．ただし，本発明は実施形態のみに限定されるものではない．
【００２９】
本発明の実施形態に係る交通信号機一体型プライバシー保護機能付防犯カメラシステムを図１にブロック図で示す．
【００３０】
本発明は，図１に示すように，防犯カメラ１０として，撮像部２０と，映像処理部３０と，映像記録部４０，交通信号部として，信号標識部と，信号制御部と，共通電源部とを，所用構成要素として備えているものとされる．防犯カメラ部と，交通信号部は独立に動作する．防犯カメラ１０において，映像記録部４０に記録された映像は，外部出力を通して，外部表示装置９０により表示することができる．
【００３１】
本発明の防犯カメラにおいて，撮像部２０で撮影された映像は，映像処理部３０で暗号化された上で，映像記録部４０で記録される．暗号化された映像を，外部出力を通して表示する場合は，モザイク処理などのプライバシー保護がなされた状態で，表示される．モザイク処理などを解除する場合は，暗号解除鍵を用いる必要があるとされる．
【００３２】
撮像部２０は，CCDカメラにより構成される．使用するCCDカメラは，白黒又は，カラーであり，用途により使い分けられる．
【００３３】
映像処理部３０は，防犯カメラを制御し，撮像部からの映像の処理，プライバシー保護機能のための，モザイク処理を行うとともに，暗号化処理を行うこととされる．具体的には，これらの処理機能を格納した小型電子基板により実現される．
【００３４】
映像記録部４０では，映像を一定期間，例えば一週間程度の映像を高画質で記録するだけの容量を保持できる程度の記憶容量を持つ，安価で耐久性の高いフラッシュメモリを用いる．記録した画像は，一定期間ごとに上書きをされる．
【００３５】
交通信号機６０は，交通標識部７０と，信号制御部８０で構成される．交通標識部７０は，発光ダイオードなどの，光表示器で実現される．信号制御部８０では，信号標識の制御が行われる．
【００３６】
電源部５０は，外部から供給された電力を，防犯カメラ１０と，交通信号機６０に供給されるものとされる．
【００３７】
外部表示装置９０は，映像を表示するソフトウェアや，暗号解除を行うための暗号キーを内蔵した専用のソフトウェアをインストールしたＰＣとされる．
【００３８】
次にかかる構成とされる交通信号機と一体となったプライバシー保護機能付防犯カメラシステムS１による安全監視について説明する．
【００３９】
手順１：電源部５０をオンにすることにより，防犯カメラ，信号機にそれぞれに電力が供給される．
【００４０】
手順２：信号標識部７０が，信号制御部８０に制御され，信号を表示する．
【００４１】
手順３：映像処理部３０からの指令により，撮像部２０により撮像が開始する．
【００４２】
手順４：撮像部２０が撮像した画像を，映像処理部３０が，画像処理，プライバシー保護処理，暗号化処理を行い，データ記録部４０，例えばフラッシュメモリ，メモリーカードなどに記録する．
【００４３】
手順５：データ記録部４０は，映像処理部から指示された一定期間，映像を保持し，その期間が過ぎたあと，上書きして映像を保存する．
【００４４】
以下，手順３〜５が繰り返されて，防犯カメラによる撮像が継続される．
【００４５】
このように，実施形態の交通信号機一体型プライバシー保護機能付防犯カメラシステムS１によれば，道路を通行する歩行者や，車両などのプライバシーを侵害することなしに，監視することができ，犯罪の抑止や，事故，事件が起きた場合の原因究明などに貢献することができる．
【００４６】
本発明の実施形態に係る防犯灯一体型プライバシー保護機能付防犯カメラシステムを図２にブロック図で示す．
【００４７】
本発明は，図２に示すように，実施例１と同様の，防犯カメラ１００，撮像部１１０，映像処理部１２０，映像記録部１３０，防犯灯との共通電源部１４０を有し，防犯灯１５０として，照明部１６０，照明制御部１７０，そして，オプションのセンサー装置１８０として，センサー部１９０，センサーの感度などを制御する２００，防犯カメラや防犯灯との同期をとる同期制御部２１０を所用構成要素として備えているものとされる．防犯カメラ部と，防犯灯部は適宜，同期をとることは可能であり，独立にも動作する． 
【００４８】
防犯カメラ１００の全体の働き及び，各部の機能の基本的な部分は，実施例１と同様であるので省略する． 
【００４９】
防犯灯１５０の，照明部１６０は，環境に配慮し，長寿命かつ，省電力であるような，発光ダイオードなどの光表示器で実現される．照明制御部１７０では，センサー装置１８０との同期や，光量などの制御が行われる．
【００５０】
センサー装置１８０は，熱感知センサーなどのセンサー部１９０は，防犯灯周辺の動きなど感知し，その信号を防犯カメラ１００又は，防犯灯１５０に同期制御部２１０を通して，同期をとり，これらの駆動を開始させるなどの働きをする．これは機器の電力消費を抑え，画像を保存するメモリの節約にも効果がある．
【００５１】
外部表示装置２２０は，実施例１での働きと同様であり，省略する．
【００５２】
次に，かかる構成とされる防犯灯と一体とであるプライバシー保護機能付防犯カメラシステムＳ２による安全監視について説明する．
【００５３】
手順１：電源部１４０をオンにすることにより，防犯カメラ，防犯灯にそれぞれに電力が供給される．
【００５４】
手順２：照明部１７０が，照明制御部１８０に制御され，照明を点灯する．
【００５５】
手順３：手順２と同時に映像処理部１２０からの指令により，撮像部１３０により撮像が開始する．
【００５６】
手順４：撮像部１３０が撮像した画像を，映像処理部１４０が，画像処理，プライバシー保護処理，暗号化処理を行い，データ記録部１５０，例えばフラッシュメモリ，メモリーカードなどに記録する．
【００５７】
手順５：データ記録部１６０は，映像処理部から指示された一定期間，映像を保持し，その期間が過ぎたあと，上書きして映像を保存する．
【００５８】
以下，手順３〜５が繰り返されて，防犯カメラによる撮像が継続される．
【００５９】
続いて，オプションのセンサーを使用した場合の防犯灯と一体とであるプライバシー保護機能付防犯カメラシステムＳ２の安全監視についての述べる．
【００６０】
手順１：電源部１４０をオンにすることにより，センサー部１９０に電力が供給される．また，省電力であるスタンバイ状態として，防犯カメラ１００，防犯灯１７０の電源がオンになる．
【００６１】
手順２：センサー１９０が人や車両の動きを感知すると，同期部２１０から信号が送られ，防犯カメラ１００が動作を開始する．また，同時に同期信号により，防犯灯１７０も，点灯を行う．
【００６２】
手順３：防犯カメラ１００の動作はすでに述べた動作と同様であり，省略する．
【００６３】
手順４：センサー１９０が人の動きを感知しなくなると，その情報が同期制御部２１０から，防犯カメラ１００，防犯灯１７０，それぞれに信号が送られ，一定時間の後，両者が再びスタンバイ状態となる．
【００６４】
以下，手順２〜４が繰り返されて，防犯カメラによる撮像，防犯灯の点灯が随時，継続される．
【００６５】
このように，実施形態２の防犯灯一体型プライバシー保護機能付防犯カメラシステムＳ２によれば，道路を通行する歩行者や，車両などのプライバシーを侵害することなしに，監視することができ，犯罪の抑止や，事故，事件が起きた場合の原因究明などに貢献することができる．
【実施例１】
【００６６】
図３に，本発明の実施の形態にかかる防犯カメラシステムの一実施例を示す．車両用信号機２３０の下部に，防犯カメラシステム２４０が設置されている．撮像部である防犯カメラ２５０により交差点を通行する車両などを監視することができる．撮像した映像は，伝送部２６０を通して，映像処理部と，映像記録部と，外部出力部が含まれる筐体２７０に伝送される．撮像部からの映像信号に，マイクからの音声信号，その他，センサーからの信号を加えても，よい．
【００６７】
映像処理，映像記録部，外部出力部が含まれる筐体２７０が独立に配置されているため，映像処理部にインストールされている暗号化処理プログラムなどのアップデートを容易に行うことができる．また，記録部のメンテナンス，アップグレードも容易に行うことができる．
【実施例２】
【００６８】
図４に，本発明の実施の形態にかかる防犯カメラシステムの一実施例を示す．歩行者用信号機２８０の下部に，防犯カメラシステム２９０が設置されている．撮像部である防犯カメラ３００により歩道を通行する歩行者などを監視することができる．撮像した映像の伝送及び，映像処理部，映像記録部が含まれる筐体に関する部分は，実施例１と同様であるので，省略する．
【実施例３】
【００６９】
図５に，本発明の実施の形態にかかる防犯カメラシステムの一実施例を示す．防犯灯３１０の根本部分に，防犯カメラシステム３２０，動きを感知するセンサー３３０が設置されている．人や動きをセンサー部３３０で感知することで，撮像部である防犯カメラ３２０により歩道を通行する歩行者などを監視することができる．同時に，防犯灯３１０も点灯を行う．撮像した映像の伝送及び，映像処理部，映像記録部が含まれる筐体に関する部分は，実施例１と同様であるので，省略する．
【実施例４】
【００７０】
図６に，本発明の実施の形態にかかる防犯カメラシステムの一実施例を示す．防犯灯３４０の先端部分に，防犯カメラシステム３５０，動きを感知するセンサー３６０が設置されている．これらの働きについては，実施例３と同様であるので省略する．カメラ２台を，防犯灯の左右斜め下方が視野に入るように設置することにより，左右方向から歩いてくる道路上の通行人の顔をよりよく捉えることが可能となる．
【００７１】
また，本実施例では，光源（R，G，Bの３色のLED）の射出する光の波長帯を通すバンドパスフィルタをカメラ・レンズ部に装着することにより，昼夜における受光強度さを軽減し，昼夜における鮮明な画像撮影を可能としている．
【産業上の利用可能性】
【００７２】
本発明は，信号機のある交差点，道路等などにおける，通行する歩行者や車に対する，プライバシーが保護された安全のための監視に適用できる．
【００７３】
本発明は，夜間不特定多数の人が通行する生活道路や，他の明かりのない暗い場所等，防犯上支障のある場所に設置し，その場所を通行する歩行者に対する，プライバシーが保護された状態での監視に適用できる．
【図面の簡単な説明】
【００７４】
【図１】本発明の実施形態１に係る交通信号機と一体となったプライバシー保護機能付き防犯カメラシステムのブロック図である．
【図２】本発明の実施形態２に係る防犯灯と一体となったプライバシー保護機能付き防犯カメラシステムのブロック図である．
【図３】本発明の実施例である，車両用信号機一体型防犯カメラシステムの２面図であって，同（a）は側面図であり，同（b）は正面図である．
【図４】本発明の実施例である，歩行者用信号機一体型防犯カメラシステムの２面図であって，同（a）は側面図であり，同（b）は正面図である．
【図５】本発明の実施例である，防犯灯と一体型防犯カメラシステムの側面図である．防犯カメラシステムは，防犯灯の根本部分に配置されている．
【図６】本発明の実施例である，防犯灯と一体型防犯カメラシステムの側面図である．防犯カメラシステムは，防犯灯の先端部に配置されている．
【符号の説明】
【００７５】
１０      防犯カメラ
２０      撮像部
３０      映像処理部
４０      映像記録部
５０      電源部
６０      交通信号機
７０      信号標識部
８０      信号制御部
９０      外部表示装置
１００  防犯カメラ
１１０  撮像部
１２０  映像処理部
１３０  映像記録部
１４０  電源部
１５０  照明部
１６０  照明制御部
１７０  防犯灯
１８０  センサー
１９０  センサー部
２００  センサー制御部
２１０  同期制御部
２２０  電源部  
２３０  車両用信号機
２４０  防犯カメラシステム
２５０  防犯カメラ
２６０  伝送部
２７０  映像処理部と，映像記録部と，外部出力部が含まれる筐体
２８０  歩行者用信号機
２９０  防犯カメラシステム
３００  防犯カメラ
３１０  防犯灯
３２０  防犯カメラシステム
３３０  センサー
３４０  防犯灯
３５０  防犯カメラシステム
３６０  センサー
Ｓ１  交通信号機と一体とであるプライバシー保護機能付防犯カメラシステム
Ｓ２  防犯灯と一体とであるプライバシー保護機能付防犯カメラシステム
【図１】
2011090581.tif 000003
【図２】
2011090581.tif 000004
【図３】
2011090581.tif 000005
【図４】
2011090581.tif 000006
【図５】
2011090581.tif 000007
【図６】
2011090581.tif 000008